(57)【要約】【課題】ＴＴＳ独特の違和感を感じるのを低減する。【解決手段】音楽情報が記憶されている音楽記憶媒体１１１と、テキスト情報を受信する第１の通信手段１０１と、第１の通信手段１０１により受信したテキスト情報を音声情報に変換する音声合成部１４９と、音声情報と音楽情報とを重ね合せるＴＴＳミキシング部１４３と、ＴＴＳミキシング部１４３により重ね合わされた音声情報と音楽情報を出力する出力部１４１とを有し、取得したテキスト情報を音声情報に変換し、変換した音声情報と音楽情報とを重ね合せて提供する。【選択図】    図１
2004226703.tif 000002
【特許請求の範囲】
【請求項１】
取得したテキスト情報を音声情報に変換し、変換した前記音声情報と音楽情報とを重ね合せて提供することを特徴とする情報提供装置。
【請求項２】
音楽情報が記憶されている記憶手段と、
テキスト情報を受信する通信手段と、
前記通信手段により受信したテキスト情報を音声情報に変換する変換手段と、
前記音声情報と前記音楽情報とを重ね合せる重ね合せ手段と、
前記重ね合せ手段により重ね合された前記音声情報と前記音楽情報を出力する出力手段とを有することを特徴とする請求項１記載の情報提供装置。
【請求項３】
前記テキスト情報の内容を識別する識別手段と、
前記識別手段による識別結果に基づいて前記音楽情報を決定する決定手段とを有し、
前記決定手段により前記テキスト情報の内容によって選択された前記音楽情報と、前記音声情報とを重ね合せて提供することを特徴とする請求項２記載の情報提供装置。
【請求項４】
操作を行う操作手段と、
前記操作手段の前記操作を検知する検知手段と、
前記操作に従って前記音声情報の出力の制御をする出力制御手段とを有し、
前記音声情報の出力中、前記検知手段が所定の操作を検知した場合、前記操作を前記音声情報に関する前記操作に対してのみ有効とする請求項２記載の情報提供装置。
【請求項５】
前記音声情報のスキップ、リピートの操作を行う操作手段と、
前記音声情報および前記音楽情報の出力レベルを制御する出力制御手段を有し、
前記音声情報の提供中、前記リピートの操作をした場合、前記出力制御手段により、前記音声情報と前記音楽情報の少なくとも一方の出力レベルを調整し、前記音声情報の出力レベルを前記音楽情報の出力レベルに対して相対的に上げることを特徴とする請求項２記載の情報提供装置。
【請求項６】
前記重ね合せ手段は、前記音声情報の出力レベルに応じて前記音楽情報の出力レベルを制御することを特徴とする請求項２記載の情報提供装置。
【請求項７】
前記音声情報と前記音楽情報とを重ね合せる際、前記音楽情報の出力開始後、所定の時間経過後に、前記音声情報の出力の開始を制御する出力制御手段を有することを特徴とする請求項２記載の情報提供装置。
【請求項８】
重ね合せた前記音声情報と前記音楽情報の前後の少なくとも一方に、ＤＪ音声を挿入することを特徴とする請求項２記載の情報提供装置。
【請求項９】
受信する前記テキスト情報は、交通情報、天気情報、ニュースを含む一般情報の他に、広告情報を含むことを特徴とする請求項２記載の情報提供装置。
【請求項１０】
少なくとも前記音声情報の出力中、前記音楽情報の出力中の人間の声の周波数帯域を削除する出力制御手段を有することを特徴とする請求項２記載の情報提供装置。
【請求項１１】
少なくとも前記音声情報の出力中、前記音楽情報のテンポを変更する出力制御手段を有することを特徴とする請求項２記載の情報提供装置。
【請求項１２】
取得した前記テキスト情報または変換した前記音声情報を所定の長さに分割し、分割した前記音声情報の間に、前記音楽情報とは別の第２音楽情報を挟み込むことを特徴とする請求項２記載の情報提供装置。
【請求項１３】
前記音声情報の出力の終了を検知する検知手段と、
前記検知手段により前記音声情報の出力の終了を検知し、所定の時間が経過した後、前記音楽情報をフェードアウトする出力制御手段とを有することを特徴とする請求項２または１２記載の情報提供装置。
【請求項１４】
前記音楽情報が、ＢＧＭと前記ＢＧＭとは異なる第２音楽情報とからなり、
前記ＢＧＭおよび前記第２音楽情報の出力を制御する出力制御手段と、
前記ＢＧＭおよび前記第２音楽情報並びに前記音声情報の終了を検知する検知手段とを有し、
前記出力制御手段により出力の制御をした前記第２音楽情報と、前記音声情報とを重ね合せて出力し、
前記音声情報の出力中に、前記第２音楽情報が終了したことを前記検知手段が検知した場合、
前記ＢＧＭを前記音声情報とを重ね合せて出力し、
前記音声情報の出力の終了を前記検知手段が検知した場合、前記ＢＧＭをフェードアウトし、前記第２音楽情報を出力することを特徴とする請求項２または１２記載の情報提供装置。
【請求項１５】
前記音楽情報の出力を制御する出力制御手段と、
前記音声情報の出力の終了を検知する検知手段とを有し、
前記音楽情報が、ＢＧＭと前記ＢＧＭとは異なる第２音楽情報とからなり、
前記出力制御手段により、前記音声情報の出力を開始する前に、前記第２音楽情報をフェードアウトし、
その後、前記重ね合せ手段および出力手段により、前記音声情報と前記ＢＧＭとを重ね合せた情報を提供し、
前記検知手段により前記音声情報の出力の終了を検知した後、前記出力制御手段により、前記ＢＧＭをフェードアウトして前記第２音楽情報をフェードインすることを特徴とする請求項２または１２記載の情報提供装置。
【請求項１６】
コンピュータを、テキスト情報を取得する手段、取得したテキスト情報を音声情報に変換する手段、変換した前記音声情報と音楽情報とを重ね合せる手段、および重ね合せた前記音声情報と前記音楽情報を提供する手段として機能させるための情報提供プログラム。
【発明の詳細な説明】
【０００１】
【発明の属する技術分野】
本発明は、例えば車両に搭載される車載情報提供装置等の情報提供装置に関する。
【０００２】
【従来の技術】
【特許文献】特開２００１−３４３９７９号。
【０００３】
車両の運転中に聴きたい交通情報、天気予報、ニュース、トークなどの情報や音楽の提供順序を、車外のパーソナル・コンピュータなどからユーザーがあらかじめ設定し、運転中、ユーザーが設定した順番に従って上記情報や音楽を提供するという車載情報提供装置が、上記特許文献に記載されている。
【０００４】
【発明が解決しようとする課題】
上記特許文献にも記載されているように、情報提供の方法については、通信コストや通信速度を考慮すると、車載情報提供装置にテキスト情報を送信し、車載情報提供装置内の音声合成装置で音声を合成して読み上げる方法が一般的である。しかし、上記特許文献に記載してある通り、ＴＴＳ（Ｔｅｘｔ  ｔｏ  ｓｐｅｅｃｈ）による情報読み上げを行うと、ユーザーはＴＴＳ独特の違和感を感じてしまう。
【０００５】
本発明の目的は、ＴＴＳ独特の違和感を感じるのを低減できる情報提供装置および情報提供プログラムを提供することにある。
【０００６】
【課題を解決するための手段】
上記課題を解決するため、本発明は、取得したテキスト情報を音声情報に変換し、変換した音声情報と音楽情報とを重ね合せて提供するという構成を備えている。
【０００７】
【発明の効果】
本発明によれば、ＴＴＳ独特の違和感を感じるのを低減することができる。
【０００８】
【発明の実施の形態】
以下、図面を用いて本発明の実施の形態について詳細に説明する。なお、以下で説明する図面で、同一機能を有するものは同一符号を付け、その繰り返しの説明は省略する。また、以下の実施の形態では、情報提供装置として、車両に搭載した車載情報提供装置を例に挙げて説明するが、これに限定されないことはもちろんである。
実施の形態１
図１に実施の形態１の構成図を示す。
まず、車載機側、すなわち、車載情報提供装置について説明する。
【０００９】
第１の通信手段１０１は、例えば携帯電話のようなものであり、情報取得部１３１で決められた情報を情報局（センター）に要求したり、要求に応じた情報局からのテキスト情報を取得するために情報局との通信を行う手段である。
【００１０】
現在地検出手段（現在地取得手段）１０２は、例えばＧＰＳ（グローバルポジショニングシステム）のようなものであり、天気情報や交通情報などを取得する際に利用する現在地情報を取得する手段である。
【００１１】
出力音楽提供手段１１０は、出力制御部１４６の指示に従い音楽を提供する手段であり、音楽記憶媒体１１１と出力音楽決定部１１２とで構成される。音楽記憶媒体１１１は、例えば、ＣＤ（コンパクトディスク）やＭＤ（ミニディスク）、ＨＤ（ハードディスク）、ＤＶＤ（デジタルヴァーサティルディスク）といった音楽そのものを記憶しておく媒体であり、出力制御部１４６からの指示により音楽そのものを出力部１４１へ提供する。出力音楽決定部１１２は、出力部１４１がユーザーに音楽を提供するごとに（統合的な出力決定手段１２０がユーザーに音楽の提供を決定するごとに）、次に提供する音楽を決定する部分であり、ユーザーからの指定がなければＣＤやＭＤなどのトラック（Ｔｒａｃｋ）順に、ユーザーがランダム指定すればランダムに、ユーザーが再生曲順を指定すれば指定された順に提供する音楽を決定し、決定された音楽情報（トラックＮｏ．（ナンバー）など）を提供音楽記憶部１４７に記憶させる部分である。
【００１２】
統合的な出力決定手段１２０は、最終出力決定部１２１で構成され、出力終了検出部１４２から音楽または情報用番組表の出力が終了したことを知らせる出力終了信号を受信すると、情報用番組表作成部１３５からの情報用番組表の有無を知らせる情報フラグにより、情報用番組表を提供するか、音楽を提供するか決定し、出力制御部１４６に指示する部分である。また、出力制御部１４６に音楽の提供を指示すると、出力音楽決定部１１２に対し、音楽の出力を決定したことを通知する。
【００１３】
出力情報提供手段１３０は、所定時間ごとに第１の通信手段１０１を経由して情報を取得し、取得した情報をもとにＢＧＭ（バックグランドミュージック）やＤＪ（ディスクジョッキー）を決定してユーザーに提供する情報用番組表を作成したり、情報用番組表をユーザーに提供するために出力制御部１４６の指示に従い、ＤＪやＢＧＭそのもの、およびテキスト情報を提供する手段であり、情報取得部１３１とＤＪ・ＢＧＭ選択部１３２とテキスト情報記憶部１３３とＤＪ・ＢＧＭ記憶部１３４と情報用番組表作成部１３５とで構成される。情報取得部１３１は、取得する情報カテゴリを決定し、第１の通信手段１０１を用いて所定時間ごとに情報局に接続してテキスト情報を取得する。その際、必要であれば現在地情報を現在地検出手段１０２から取得し、情報局に送る。ここで取得するテキスト情報は、交通情報やニュースなどの一般情報のほか、お店の広告などを含んでいても良い。ＤＪ・ＢＧＭ選択部１３２は、情報用番組表作成部１３５で情報用番組表を作成する際、情報として使われるテキスト情報をもとにＤＪやＢＧＭをＤＪ・ＢＧＭ記憶部１３４の中から選択する部分である。選択の方法として、テキスト情報内のキーワードからＢＧＭを選択する方法や、テキスト情報にあらかじめつけられているフラグなどを参照して選択する方法などを用いる。テキスト情報記憶部１３３は、ＨＤやＣＦ（コンパクトフラッシュ（登録商標））、ＲＡＭ（ランダムアクセスメモリ）などの記憶装置であり、情報取得部１３１が取得したテキスト情報を一時的に記憶しておき、出力制御部１４６の指示に従い、テキスト情報を音声合成部１４９へ提供する部分である。ＤＪ・ＢＧＭ記憶部１３４は、ＨＤ、ＣＤ、ＤＶＤ、ＣＦなどの記憶装置であり、テキスト情報記憶部１３３と共通であっても良いし、音楽記憶媒体１１１の一部を利用しても良い。ＤＪ・ＢＧＭ記憶部１３４には、音楽の前後につけるＤＪやＴＴＳのバックに流すＢＧＭが記憶されており、出力制御部１４６の指示に従い、ＤＪやＢＧＭそのものを提供する部分である。また、ここで言うＢＧＭとは、人の声の入っていない、いわゆるバックグラウンドミュージックのほか、自然界の音、例えば、波の音や川のせせらぎ、鳥の鳴き声などであっても良い。情報用番組表作成部１３５は、情報取得部１３１で取得したテキスト情報をもとに、テキスト情報にあったＤＪとＢＧＭとをＤＪ・ＢＧＭ選択部１３２で選択させて情報用番組を作成し、情報用番組表記憶部１４８に記憶させる部分である。ここで、情報用番組表とは、図７に示されるようなＤＪ・ＢＧＭ・ＴＴＳを組み合せた進行表であり、この情報用番組表に従って出力手段１４０がユーザーに情報を提供する。情報提供の動作については図４にフローで示す（後述）。
【００１４】
出力手段１４０は、統合的な出力決定手段１２０の指示に従い、音楽および情報用番組表の出力を行い、音楽や情報などをユーザーに提供する手段であり、出力部１４１と出力終了検出部１４２とＴＴＳミキシング部１４３とＴＴＳ開始制御部１４４とＢＧＭ終了制御部１４５と出力制御部１４６と提供音楽記憶部１４７と情報用番組表記憶部１４８と音声合成部１４９とで構成される。出力部１４１は、スピーカーなどの出力装置であり、音楽や情報をユーザーの耳に聞こえるように出力する部分である。出力終了検出部１４２は、音楽の１トラック、または情報用番組表の１つの番組が終了したことを検出し、統合的な出力決定手段１２０に終了を知らせる部分である。ＴＴＳミキシング部１４３は、出力制御部１４６の指示に従い、音声合成部１４９で合成されたＴＴＳとＢＧＭとをミキシングする（重ね合せる）部分であり、出力部１４１からユーザーにＢＧＭとミキシングされたＴＴＳを提供する。ＴＴＳ開始制御部１４４は、ＢＧＭにＴＴＳをミキシングする開始タイミングを制御する部分であり、ＢＧＭを再生した後、所定時間後にＴＴＳのミキシングを開始させる部分である。ＢＧＭ終了制御部１４５は、ＴＴＳのミキシングが終わった後、ＢＧＭの終了を制御する部分であり、ＴＴＳ終了後、所定時間後にＢＧＭのフェードアウトを開始させる部分である。出力制御部１４６は、統合的な出力決定手段１２０の指示に従い、提供音楽記憶部１４７もしくは情報用番組表記憶部１４８にある最新音楽または情報用番組表の再生を開始させる部分である。また、出力制御部１４６は、操作取得手段（操作検出手段）１０６の操作を受け、ボリュームの変更や音楽、情報のリピート、スキップ処理を行う機能も持つ。提供音楽記憶部１４７は、出力音楽決定部１１２で決定された次に再生させる音楽の情報を記憶しておく部分であり、統合的な出力決定手段１２０の指示を受けた出力制御部１４６により出力が決定される。情報用番組表記憶部１４８は、情報用番組表作成部１３５で作成された情報用番組表を記憶しておく部分であり、統合的な出力決定手段１２０の指示を受けた出力制御部１４６により出力が決定される。音声合成部１４９は、ＴＴＳ開始制御部１４４のＴＴＳ開始指示によりテキスト情報記憶部１３３に記憶されているテキスト情報をＴＴＳに変換する。
【００１５】
操作取得手段１０６は、スイッチや音声認識などのユーザーの操作を受ける手段であり、提供中の音楽、情報のリピート、スキップ、ボリュームの変更などのユーザー操作を受け付ける。
【００１６】
次に、情報局側について説明する。
第２の通信手段１０３は、車載機と情報のやり取りをする通信手段である。処理手段１０４は、記憶手段１０５にある多数の情報の中から、第２の通信手段１０３経由で受信した車載機の要求する情報を抽出し、第２の通信手段１０３経由で車載機に送信する手段である。記憶手段１０５は、車載機に送られる様々な情報を記憶しておく手段である。
【００１７】
図２〜図６に実施の形態１の動作フローを示す。
図２にメインタスクのフローを示す。
メインタスクが起動されると、図１に示した出力音楽決定部１１２は、最初に再生させる音楽を決定し（２０１）、決定された音楽情報（トラックＮｏ．など）を提供音楽記憶部１４７に記憶させて再生準備をする（２０２）。そして、統合的な出力決定手段１２０の指示により出力制御部１４６が音楽の再生開始を指示し、出力部１４１から提供する（２０３）。また、統合的な出力決定手段１２０は、出力制御部に音楽出力の指示を与えた後、出力音楽決定部１１２に次に再生させる音楽を決定するよう指示し、出力音楽決定部１１２は、次に再生させる音楽を決定する（２０４）。出力音楽決定部１１２で決定された、次に再生させたい音楽情報は、提供音楽記憶部１４７に記憶されて、再生準備をさせる（２０５）。再生が終了すると、出力終了検出部１４２が音楽の出力終了を検出し、統合的な出力決定手段１２０に送る（２０６）。統合的な出力決定手段１２０は、音楽の出力終了を受け、出力情報提供手段１３０からの情報フラグをチェックする（２０７）。情報フラグがあれば、情報用番組表の再生を行う（２０８）。情報用番組表再生については、後で図４のフローで示す。情報フラグがなければ、出力決定手段１２０は、出力制御部１４６に、２０５にて準備された音楽の再生開始を指示する（２０３）。
【００１８】
図３に情報取得タスクのフローを示す。
情報取得タスクはメインタスクとは独立して動作しており、所定時間ごとに情報局にアクセスして情報を取得し、情報用番組表を作成するタスクである。起動されると、情報取得部１３１は、情報取得タイマーをスタートさせ（３０１）、所定時間経過したら（３０２）、情報取得タイマーを一時停止し（３０３）、取得する情報カテゴリを決定し（３０４）、決定された情報カテゴリのテキスト情報を第１の通信手段１０１を経由して情報局から取得する（３０５、３０６）。この時、取得する情報が交通情報や天気情報など現在地情報を必要とするものであれば、現在地検出手段１０２から現在地情報を取得して情報局へ接続し、情報を取得する。取得されたテキスト情報はテキスト情報記憶部１３３に記憶される。テキスト情報が取得されると、情報用番組表作成部１３５は、ＤＪ・ＢＧＭ記憶部１３４に記憶されているＤＪとＢＧＭの属性を取得し（３０７）、取得した情報カテゴリから情報の前後に入れるＤＪ（３０８、３０９）と、ＴＴＳのバックに流すＢＧＭ（３１０）を決定し、図７に示すような情報用番組表として形成し、情報用番組表記億部１４８に記憶する（３１１）。情報用番組の作成が終わると、情報用番組表作成部１３５は、メインタスクに情報用番組表の準備ができたことを知らせる情報フラグを立てる（３１２）。情報フラグが立っている状態で、出力終了検出部１４２が出力終了を検出すると、統合的な出力決定手段１２０は、情報用番組表の再生を開始し、情報用番組表が終了すると、情報フラグを消す（２０８、図４）。情報取得タスクでは、情報取得部１３１が情報フラグの状態を監視し、状態フラグが消えると（３１３）、再び情報取得タイマーをスタートさせ情報取得の状態に入る（３０１）。
【００１９】
図４に情報用番組表再生フローを示す。
情報用番組表再生フローは、メインタスクにおいて音楽の再生が終了し、かつ、情報フラグが立っている状態でのみ使われるフローで、情報用番組表の内容をユーザーに提供するものである。情報用番組表が図７に示されるような構成であったとすると、まず、出力制御部１４６は、情報用番組表記億部１４８から最新の情報用番組表を参照し、最初に出力するトラック−１の情報を取得し、再生準備をする（４０１）。ここでは、情報前ＤＪ−１がそれに当り、情報前ＤＪ−１の再生準備をする。この実施の形態１では、情報用番組表に記されている情報は、ファイル名で書かれているが、ＤＪ・ＢＧＭ記憶部１３４のＤＪやＢＧＭに番号が振られていれば、その番号を情報用番組表に記述しておく方法であっても良い。次に、出力制御部１４６は、ＤＪ・ＢＧＭ記憶部１３４内の情報前ＤＪ−１にアクセスして出力部１４１から情報前ＤＪ−１の出力を開始する（４０２）。出力を開始すると、出力制御部１４６は現在出力しているものがＢＧＭかどうかチェックする（４０３）。今回は、情報前ＤＪ−１を出力しているので、次トラックであるＢＧＭ−１の再生準備をする（４０４）。ここで、もし次トラックが存在しなければ、終了フラグを立てて終了通知を行う（４０６）のだが、今回は、ＢＧＭ−１が存在するので、終了フラグは立てずに情報前ＤＪ−１の再生終了を待つ（４０７）。情報前ＤＪ−１の再生が終了すると、終了フラグが立っているかどうかチェックする（４０８）。今回は終了フラグを立ててないので、ＤＪ・ＢＧＭ記憶部１３４にアクセスし、次トラックであるＢＧＭ−１の再生を開始する（４１１）。ＢＧＭ−１の再生が開始されると、現在再生しているのがＢＧＭかどうかチェックする（４０３）。今回は、再生トラック＝ＢＧＭなので、出力制御部１４６は、ＴＴＳ開始制御部１４４にＴＴＳの開始を制御するように指示し、ＴＴＳ開始制御部１４４は、情報再生タイマーをスタートさせる（４１２）。また、出力制御部１４６は、情報再生タイマーの動作中に次トラックであるＴＴＳ−１の再生準備を行う（４１３）。ＴＴＳ開始制御部１４４の情報再生タイマーがタイムアウトし（４１４）、情報再生タイマーがタイムアウトしたことが出力制御部１４６に伝えられると、出力制御部１４６は、テキスト記憶部１３３から提供されるＴＴＳ−１のテキスト情報を音声合成部１４９でＴＴＳに変換し、ＴＴＳミキシング部１４３を使ってＴＴＳ−１のミキシング再生を開始する（４１５）。ＴＴＳ再生中にユーザーが操作した場合、操作フローへ移る（４１７）。操作フローについては、後で図５を用いて説明する。ＴＴＳ−１のミキシング再生が終了し、この再生中にユーザーの操作がなかった（４１８）とすると、出力制御部１４６は、次トラックであるＴＴＳ−２の再生準備を行い（４１９）、次トラックがＴＴＳかどうかチェックする（４２０）。今回は、次トラックがＴＴＳ−２であるので、ＴＴＳ−２のミキシング再生を開始する（４１５）。先ほどと同様にＴＴＳ再生中にユーザー操作がないとすると、ＴＴＳ−２の終了を待って（４１８）、次トラックである情報後ＤＪ−１の再生準備をし（４１９）、次トラックがＴＴＳかどうかチェックする（４２０）。今回は、情報後ＤＪ−１であるので、出力制御部１４６は、ＢＧＭ終了制御部１４５にＢＧＭの終了を制御するように指示し、ＢＧＭ終了制御部１４５は、ＢＧＭ終了タイマーをスタートさせる（４２１）。また、出力制御部１４６は、ＢＧＭ終了タイマーの動作中に次トラックのチェックを行う（４２２）。今回は、４１９で情報後ＤＪ−１が次トラックとして再生準備されているので、終了フラグは立てずにＢＧＭ終了タイマーのタイムアウトを待つ（４２２）。４２２で次トラックがないと判断されるのは、ＴＴＳ終了後、情報終了後のＤＪを挟まずに音楽に戻る場合である。ＢＧＭ終了タイマーがタイムアウトすると（４２４）、ＢＧＭ終了制御部１４５は、出力制御部１４６にＢＧＭ終了タイマーがタイムアウトしたことを伝え、出力制御部１４６は、ＢＧＭをフェードアウトさせ（４２５）、ＢＧＭ終了後、終了フラグのチェックを行う（４０８）。今回は、終了フラグを立ててないので、出力制御部１４６は、ＤＪ・ＢＧＭ記憶部１３４内の情報後ＤＪ−１にアクセスして出力部１４１から情報後ＤＪ−１の出力を開始し（４１１）、再生しているのがＢＧＭかどうかチェックする（４０３）。再生しているのはＢＧＭではないので、次トラックの再生準備をする（４０４）。しかし、情報用番組表は、情報後ＤＪ−１で終わっているため、次トラックの準備はせずに終了フラグを立てる（４０６）。情報後ＤＪ−２の再生終了（４０７）後、終了フラグの有無をチェックし（４０８）、終了フラグが立っている状態なので情報フラグを消して（４０９）情報用番組表再生フローは終了する（４１０）。
【００２０】
図５に操作フローを示す。
このフローは、ＴＴＳ再生中に図６に示すユーザー操作取得タスクでユーザー操作を受ける（４１６）ことで使われるフローであり、ＴＴＳ再生中にユーザーから操作された、巻戻しまたは前トラックボタンの１度押しで再生中の情報の頭から再生をやりなおす（リピート）、巻戻しまたは前トラックボタンの２度押しで前の情報の頭から再生する（バック）、早送りまたは次トラックボタンの１度押しで次の情報の頭から再生する（スキップ）の３種類の動作フローについて示している。ユーザー操作が入ると、出力制御部１４６は、ユーザーの操作情報を取得し（５０１）、巻戻しまたは前トラックボタンの１度押しかどうかをチェックし（５０２）、ユーザーの操作がリピートであれば、ＢＧＭとＴＴＳの出力レベルを調節してＴＴＳの出力レベルを上げ（５０３）、再生中のＴＴＳを頭から再生する準備をし（５０４）、ＴＴＳのミキシング再生を開始する（４１５）。早送りまたは次トラックボタンの１度押しかどうかをチェックし（５０５）、ユーザーの操作がスキップであれば、情報用番組表（図７）の次トラックの情報を取得し（５０６）、次トラックの再生準備をする（５０７）。例えば、再生中のＴＴＳが図７中のＴＴＳ−１であったとすると、出力制御部１４６は、情報用番組表記億部１４８から次トラックの情報であるＴＴＳ−２を取得し（５０６）、再生準備をする（５０７）。そして、次トラックがＴＴＳかどうかチェックする（５０８）。今回は、次トラックがＴＴＳ−２であるので、ＢＧＭはそのまま流しつづけてＴＴＳ−２のミキシング再生を開始する（４１５）。再生中のＴＴＳが図７中のＴＴＳ−２であったとすると、出力制御部１４６は、情報用番組表記億部１４８から次トラックの情報である情報後ＤＪ−１を取得し（５０６）、再生準備をする（５０７）。そして、次トラックがＴＴＳかどうかチェックする（５０８）。今回は、次トラックがＤＪであるので、ＢＧＭをフェードアウトし（５０９）、情報後ＤＪ−１の再生を開始する（４１１）。巻戻しまたは前トラックボタンの２度押しかどうかをチェックし（５１０）、ユーザーの操作がバックであれば、情報用番組表（図７）の前トラックの情報を取得する（５１１）。例えば、再生中のＴＴＳが図７中のＴＴＳ−１であったとすると、出力制御部１４６は、情報用番組表記億部１４８から前トラックの情報である情報前ＤＪ−１を取得する（５１１）。そして、前トラックがＴＴＳかどうかチェックする（５１２）。今回は、前トラックがＤＪであるので、ＢＧＭをフェードアウトし（５１５）、２トラック前である情報前ＤＪ−１の再生準備をし（５１６）、情報前ＤＪ−１を再生する（４１１）。再生中のＴＴＳが図７中のＴＴＳ−２であったとすると、出力制御部１４６は、情報用番組表記億部１４８から前トラックの情報であるＴＴＳ−１を取得する（５１１）。そして、前トラックがＴＴＳかどうかチェックする（５１２）。今回は、ＴＴＳ−１であるので、ＢＧＭとＴＴＳの出力レベルを変更し、ＴＴＳの出力を上げ（５１３）、前トラックであるＴＴＳ−１の再生準備をして（５１４）、ＴＴＳ−１のミキシング再生を開始する（４１５）。
【００２１】
図６にユーザー操作取得タスクを示す。
このタスクは、操作取得手段１０６と連動されており、ユーザー操作情報を出力制御部１４６に伝える。起動されると（６０１）、早送りスイッチが押されたか（６０２）、次トラックスイッチが押されたか（６０４）、巻戻しスイッチが押されたか（６０６）、前トラックスイッチが押されたか（６０９）チェックする。早送りスイッチ、次トラックスイッチが押されると、それぞれは早送りイベント（６０３）、次トラックイベント（６０５）を送信する。出力制御部１４６は、早送りイベント、次トラックイベントを受けると、スキップであると判断する（５０５）。巻戻しスイッチ、前トラックスイッチが押されると、それぞれ押された回数を記憶し（６０７、６１０）、押された回数と共に、巻戻しイベント（６０８）、前トラックイベント（６１１）を送信する。出力制御部１４６は、巻戻しイベント、前トラックイベントを受けると、押された回数により、押された回数が１回であればリピートであると判断し（５０２）、押された回数が２回以上であればバックであると判断する（５１０）。
【００２２】
図７に情報用番組表の例を示す。
情報用番組表は、図１の情報用番組表作成部１３５で作成され、情報用番組表記億部１４８に記憶される。情報用番組表は、ユーザーに情報用番組を提供する際の進行を表したもので、ＤＪ、ＢＧＭ、ＴＴＳとで構成されている。メインタスクで情報用番組表の再生がされると（２０８）、情報用番組表に従ったＤＪ、ＢＧＭ、ＴＴＳが提供される。
【００２３】
上記実施の形態１では、情報局からテキスト情報を取得する方法を記しているが、テキスト情報の取得方法として、情報局との通信だけでなく、見えるラジオやテレビの文字放送などから取得するテキスト情報であっても良く、テキスト情報の取得方法は問わない。
【００２４】
上記のように、本実施の形態１の情報提供装置では、取得したテキスト情報を音声情報に変換し、変換した音声情報と音楽情報とを重ね合せて提供するという構成になっている。また、本実施の形態１の車載情報提供装置は、音楽を記憶する音楽記憶媒体１１１と、第１の通信手段１０１と、音声合成部１４９と、ＴＴＳミキシング部１４３と、出力部１４１を有するという構成になっている。なお、図１の音楽記憶媒体１１１が、特許請求の範囲の音楽情報が記憶されている記憶手段に相当し、第１の通信手段１０１がテキスト情報を受信する通信手段に相当し、音声合成部１４９が受信したテキスト情報を音声情報に変換する変換手段に相当し、ＴＴＳミキシング部１４３が音声情報と音楽情報とを重ね合せる重ね合せ手段に相当し、出力部１４１が音声情報と音楽情報を出力する出力手段に相当する。このような構成により、ＴＴＳ独特の違和感を低コストで低減し、ＴＴＳの聞きやすさを向上することができる。
【００２５】
前述の特許文献にも記載されているように、情報提供の方法については、通信コストや通信速度を考慮すると、車載情報提供装置にテキスト情報を送信し、車載情報提供装置内の音声合成装置で音声を合成して読み上げる方法が一般的である。しかし、上記特許文献に記載してある通り、ＴＴＳによる情報読み上げを行うと、ユーザーはＴＴＳ独特の違和感を感じてしまい、また、自分の設定した好きな音楽を心地よく聞いていた後に、自分で設定した欲しいと思っている情報であってもＴＴＳで提供されることにより、それまでの心地よい気分を壊してしまう（違和感を感じてしまう）といった問題を解決することができる。
【００２６】
また、情報取得部１３１と、出力音楽決定部１１２とを有し、出力音楽決定部１１２によりテキスト情報の内容によって選択された音楽情報と音声情報とを重ね合せて提供するという構成になっている。なお、情報取得部１３１が、特許請求の範囲のテキスト情報の内容を識別する識別手段に相当し、出力音楽決定部１１２が識別手段による識別結果に基づいて音楽情報を決定する決定手段に相当する。このような構成により、情報の内容によってＢＧＭが使い分けられているので、ユーザーはＢＧＭにより情報の内容を識別することができ、ＴＴＳの内容を理解しやすくなる。
【００２７】
また、ユーザが音声情報のスキップ、リピート等の操作を行う操作手段（図示省略）と、操作取得手段１０６と、出力制御部１４６とを有し、音声情報の出力中、操作取得手段１０６がスキップ、リピート等の所定の操作を検知した場合、操作を音声情報に関する操作に対してのみ有効とする（すなわち、操作手段の操作にかかわらず、音楽情報を流す）という構成になっている。なお、操作取得手段１０６が、特許請求の範囲の操作手段の操作を検知する検知手段に相当し、出力制御部１４６が、操作に従って音声情報の出力の制御をする出力制御手段に相当する。このような構成により、ユーザーはＴＴＳを操作してもＢＧＭは途切れることなく聞くことができ、ＴＴＳの違和感を低減することができる。
【００２８】
また、音声情報のスキップ、リピートの操作を行う操作手段と、出力制御部１４６とを有し、音声情報の提供中、リピートの操作をした場合、出力制御部１４６により、音声情報と音楽情報の少なくとも一方の出力レベル（ボリューム）を調整し、音声情報の出力レベルを音楽情報の出力レベルに対して相対的に上げるという構成になっている。なお、出力制御部１４６が、特許請求の範囲の音声情報および音楽情報の出力レベルを制御する出力制御手段に相当する。このような構成により、リピート操作時にＢＧＭとＴＴＳの出力レベルを変更することで、リピートされたＴＴＳ情報をユーザーがより正確に取得しやすくなり、ユーザーが聞き逃したＴＴＳ情報を容易に聞き取ることができる。また、ＴＴＳミキシング部１４３は、音声情報の出力レベルに応じて音楽情報の出力レベルを制御する。例えば、音楽情報の出力レベルを音楽情報の出力レベルより所定量小さく制御する。これにより、音楽情報を聴き取りやすくすることができる。なお、ＢＧＭを音声情報と重ね合せる場合には、それまで聴いていた音楽情報の提示を中断し、その後にＢＧＭを音声情報と重ね合せて提示することになる。あらかじめ用意されたＢＧＭは、曲の内容や出力レベルが決められているために、ＢＧＭについては特に出力レベルの制御は行わない。
【００２９】
また、音声情報と音楽情報とを重ね合せる際、音楽情報の出力開始後、所定の時間経過後に、音声情報の出力の開始を制御する出力制御部１４６を有するという構成になっている。このような構成により、ＴＴＳ開始前にＢＧＭが流れることで、ユーザーはＴＴＳが始まることを認識することができ、ＴＴＳを認識しやすくすることができる。
【００３０】
また、重ね合せた音声情報と音楽情報の前後の少なくとも一方に、ＤＪ音声を挿入するという構成になっている。このように、ＴＴＳ情報の前後にＤＪを加えることで、ユーザーはラジオ感覚でＴＴＳ情報を聞くことができる。
【００３１】
また、受信するテキスト情報は、交通情報、天気情報、ニュースを含む一般情報の他に、広告情報を含むという構成になっている。これにより、ユーザーは交通情報、天気情報、ニュースを含む一般情報の他、広告情報を得ることができる。
【００３２】
また、取得したテキスト情報または変換した音声情報を所定の長さに分割し、分割した音声情報の間に、音楽情報とは別の第２音楽情報を挟み込むという構成になっている。このような構成により、ＴＴＳとＴＴＳの間に音楽を挟むことで、ユーザーは連続してＴＴＳを長時間聞くことはなくなり、ＴＴＳ独特の違和感を低減し、ＴＴＳ情報を取得しやすくすることができる。
【００３３】
また、音声情報の出力の終了を検知する検知手段である出力終了検出部１４２と、出力終了検出部１４２により音声情報の出力の終了を検知し、所定の時間が経過した後、音楽情報をフェードアウトする出力制御図１４６とを有するという構成になっている。このように、ＴＴＳ終了後所定時間経過後にＢＧＭをフェードアウトすることで、ユーザーはＴＴＳ情報の終わりを認識し、次の情報や音楽をスムーズに（違和感なく自然に）聞くことができる。
【００３４】
また、本実施の形態１における車載情報提供装置の情報提供プログラムは、コンピュータを、テキスト情報を取得する手段、取得したテキスト情報を音声情報に変換する手段、変換した音声情報と音楽情報とを重ね合せる手段、および重ね合せた音声情報と音楽情報を提供する手段として機能させるようになっている。
【００３５】
実施の形態２
図８に実施の形態２の構成図を示す。
【００３６】
まず、車載機側について説明する。
【００３７】
第１の通信手段１０１は、例えば携帯電話のようなものであり、操作取得手段１０６からのユーザー操作を取得した情報取得部１３１が取得する情報を情報局に要求したり、要求に応じた情報局からのテキスト情報を取得するために情報局との通信を行う手段である。
【００３８】
現在地検出手段１０２は、例えばＧＰＳのようなものであり、天気情報や交通情報などを取得する際に利用する現在地情報を取得する手段である。
【００３９】
操作取得手段１０６は、スイッチや音声認識などのユーザーの操作を受ける手段であり、ユーザーからの情報リクエストやＴＴＳ情報の操作を受け付ける。
【００４０】
出力音楽提供手段１１０は、出力制御部１４６の指示に従い、音楽を提供する手段であり、音楽記憶媒体１１１と出力音楽決定部１１２とで構成される。音楽記憶媒体１１１は、例えば、ＣＤやＭＤ、ＨＤ、ＤＶＤといった音楽そのものを記憶しておく媒体であり、出力制御部１４６からの指示により音楽そのものを出力部１４１へ提供する。出力音楽決定部１１２は、出力部１４１が音楽の出力を開始するごとに、次に提供する音楽を決定する部分であり、ユーザーからの指定がなければＣＤやＭＤなどのトラック順に、ユーザーがランダム指定すればランダムに、ユーザーが再生曲順を指定すれば指定された順に提供する音楽を決定する部分である。
【００４１】
出力情報提供手段１３０は、ユーザー操作を受けてユーザーの要求する情報を取得し、取得したテキスト情報を記憶しておく手段で、情報取得部１３１と、テキスト情報記憶部１３３とで構成される。情報取得部１３１は、操作取得手段１０６からのユーザー操作を取得し、ユーザーの望んでいる情報を第１の通信手段１０１を用いて取得する。その際、必要であれば現在地情報を現在地検出手段１０２から取得し、情報局に送る。ここでユーザーの取得するテキスト情報は、交通情報やニュースなどの一般情報のほか、お店の広告などを含んでいても良い。テキスト情報記憶部１３３は、ＨＤやＣＦ、ＲＡＭなどの記憶装置であり、情報取得部１３１が取得したテキスト情報を一時的に記憶しておき、出力制御部１４６の指示に従い、テキスト情報を音声合成部１４９へ提供する部分である。
【００４２】
出力手段１４０は、通常は出力音楽提供手段１１０から提供される音楽を出力しているが、出力情報提供手段１３０でユーザーから要求された情報の出力準備ができると、音楽の出力を制御し、ＴＴＳと音楽とをミキシングしてユーザーに提供する手段で、出力部１４１、ＴＴＳミキシング部１４３、出力制御部１４６、音声合成部１４９とで構成される。出力部１４１は、スピーカーなどの出力装置であり、音楽や情報をユーザーの耳に聞こえるように出力する部分である。ＴＴＳミキシング部１４３は、出力制御部１４６の指示に従い、音声合成部１４９で合成されたＴＴＳと出力制御された音楽とをミキシングする部分であり、出力部１４１からユーザーに音楽とともにミキシングされたＴＴＳを提供する。出力制御部１４６は、出力情報提供手段１２０の情報提供する準備ができるのを受けて音楽の出力を制御し、ＴＴＳ開始を指示したり、ＴＴＳ終了後に音楽の出力制御を元に戻す機能を持つ。また、ユーザー操作を受け、ＴＴＳ再生中にリピート操作されると、ＴＴＳと音楽の出力レベルを変更する機能も持つ。音声合成部１４９は、出力制御部１４６の指示によりテキスト情報記憶部１３３に記憶されているテキスト情報をＴＴＳに変換する。
【００４３】
次に、情報局側について説明する。
第２の通信手段１０３は、車載機と情報のやり取りをする通信手段である。処理手段１０４は、記憶手段１０５にある多数の情報の中から、第２の通信手段１０３経由で受信した車載機の要求する情報を抽出し、第２の通信手段１０３経由で車載機に送信する手段である。記憶手段１０５は、車載機に送られる様々な情報を記憶しておく手段である。
【００４４】
図９〜図１３に実施の形態２の動作フローを示す。
図９に音楽再生タスクのフローを示す。
音楽再生タスクが起動されると、図８に示した出力音楽決定部１１２は、再生する音楽を決定する（２０１）。次に、出力制御部１４６は、決定された音楽の出力を準備し（２０２）、出力部１４１から音楽の再生を開始する（２０３）。音楽再生が開始されると、出力音楽決定部１１２は、次に再生させる音楽を決定し（２０４）、再生準備をする（２０５）。音楽の再生中に出力情報提供手段１３０から割り込み情報の準備ができたことを伝える割り込み準備完了フラグを受信すると（２０６）、再生中の音楽を出力制御する（２０７）。音楽の出力制御方法は、ボリュームを制御する方法（図１１）と、人の声の周波数帯をカットする方法（図１２）と、テンポを制御する方法（図１３）とが考えられる。ボリュームを制御する場合、図１１に示すように、まず、割り込み準備フラグを消し（４０１）、音楽のボリュームが所定レベルになるまでフェードアウトしてボリュームを下げ（４０２）、割り込み開始フラグを立てる（４０３）。この割り込み開始フラグにより、割り込み情報タスク（図１０）がＴＴＳのミキシング再生を開始することとなる。割り込み情報タスク（図１０）がＴＴＳの再生を終了すると、ＴＴＳ終了フラグを立て、音楽再生タスク（図９）は、そのＴＴＳ終了フラグを受けて（２０８）、所定レベルに下げていた音楽の出力レベルを元のレベルに戻るまでフェードインさせて音楽出力制御を終了する（２０９）。その後、通常の音楽再生を行い、割り込み準備完了フラグを監視し（２０６）、音楽の再生が終了したら、次の音楽の再生を開始する（２０３）。ここで、たとえＴＴＳ再生中に音楽が終了してしまっても、音楽出力制御された状態（音楽のボリュームが下げられている状態）で次の音楽が再生され、ＴＴＳとミキシングされるようになっている。
【００４５】
図１０に割り込み情報タスクのフローを示す。
割り込み情報タスクが起動されると、ユーザーからの情報要求操作待ち状態となり（３０１）、ユーザーから情報要求されると、情報取得部１３１は、第１の通信手段１０１経由で情報局と接続し（３０２）、テキスト情報を取得する（３０３）。テキスト情報の取得が完了すると、情報割り込みの準備ができたことを伝える割り込み準備完了フラグを立てる（３０４）。割り込み情報タスク（図１０）が割り込み準備完了フラグを立てると音楽再生タスク（図９）は音楽の出力制御を開始し、情報の割り込みが可能となった時点で割り込み開始フラグを立てる。割り込み情報タスク（図１０）は、割り込み開始フラグを受けてＴＴＳミキシング再生を開始する（３０６）。ＴＴＳミキシング再生中に、ユーザーからのリピート操作が入った場合、ＴＴＳと音楽の出力レベルを変更し、ＴＴＳの出力レベルを上げ（３０８）、再生中のＴＴＳを頭から再生する（３０９）。このとき、音楽はリピートを行わず、そのまま流し続けている。ＴＴＳの再生中は常にユーザーからのリピート操作を監視し（３０７）、ＴＴＳの再生が終了すると、ＴＴＳ終了フラグを立て（３１１）、ユーザーからの情報要求操作待ち状態となる（３０１）。
【００４６】
図１１〜１３は図９中の音楽出力制御について示したもので、それぞれ、ボリューム制御（図１１）、声の周波数帯カット（図１２）、音楽のテンポ制御（図１３）である。
【００４７】
上記のように、本実施の形態１の情報提供装置では、少なくとも音声情報の出力中、音楽情報の出力中の人間の声の周波数帯域を削除する出力制御部１４６を有するという構成になっている。このように、音楽情報の出力中の人間の声の周波数帯域を削除することにより、ＴＴＳの内容が聞き取りやすくなる。
【００４８】
また、少なくとも前記音声情報の出力中、音楽情報のテンポを変更する出力制御部１４６を有するという構成になっている。このように、音楽情報のテンポを変更することにより、ＴＴＳの内容が聞き取りやすくなる。
【００４９】
ユーザーが情報を必要とするのは、あらかじめ設定しておいた情報やタイミングだけでなく、常には必要ないが、特定の条件でのみ必要な情報、例えば、知らない場所での観光情報など、または、突発で欲しい情報、例えば渋滞に入ったときの交通情報などもある。その場合、あらかじめ提供順序を設定しておくことは不可能であり、ユーザーが必要なときに操作して情報を取得することが必要である。また、ユーザーの操作だけでなく、優先度の高い情報、例えば、この先の経路で事故有りなどの情報が情報局に入れば、情報局は、車載機に情報を送り、ユーザーに提供することも考えられ、音楽などの再生中に上記情報を割り込ませる必要がある。さらに、情報提供の方法については、上述の特許文献にも記述があるように、通信コストや速度を考えると、車載機にテキスト情報を送信し、車載機内の音声合成装置で合成して読み上げる方法が一般的である。しかし、何の処理も加えず音楽などの再生中に割り込みでＴＴＳによる情報読み上げを行うと、たとえユーザーが必要だと思い取得した情報や優先度の高い情報であってもユーザーはＴＴＳ独特の違和感を感じてしまい、心地よく音楽を聞いていた雰囲気を壊してしまうといった問題があるが、本実施の形態２では、この問題を解決でき、音楽を聞いていた時の雰囲気を壊すことなく、割り込みによるＴＴＳ情報を提供することができる。
【００５０】
実施の形態３
図１４に実施の形態３の構成図を示す。
まず、車載機側について説明する。
第１の通信手段７０１は、例えば携帯電話のようなものであり、操作取得手段７０６からのユーザー操作を取得した情報取得部７２１が取得する情報を情報局に要求したり、要求に応じた情報局からのテキスト情報を取得するために情報局との通信を行う手段である。
【００５１】
現在地検出手段７０２は、例えばＧＰＳのようなものであり、天気情報や交通情報などを取得する際に利用する現在地情報を取得する手段である。
【００５２】
操作取得手段７０６は、スイッチや音声認識などのユーザーの操作を受ける手段であり、ユーザーからの情報リクエストやＴＴＳ情報の操作を受け付ける。
【００５３】
出力音楽提供手段７１０は、音楽出力制御部７３５の指示に従い音楽を提供する手段であり、音楽記憶媒体７１１と出力音楽決定部７１２とで構成される。音楽記憶媒体７１１は、例えば、ＣＤやＭＤ、ＨＤ、ＤＶＤといった音楽そのものを記憶しておく媒体であり、音楽出力制御部７３５からの指示により音楽そのものを出力部７３１へ提供する。出力音楽決定部７１２は、出力部７３１が音楽の出力を開始するごとに、次に提供する音楽を決定する部分であり、ユーザーからの指定がなければＣＤやＭＤなどのトラック順に、ユーザーがランダム指定すればランダムに、ユーザーが再生曲順を指定すれば指定された順に提供する音楽を決定する部分である。
【００５４】
出力情報提供手段７２０は、ユーザー操作により情報を取得し、情報のバックに流すＢＧＭとともに出力手段１３０に提供する手段で、情報取得部７２１と、ＢＧＭ選択部７２２と、テキスト情報記憶部７２３と、ＢＧＭ記憶部７２４とで構成される。情報取得部７２１は、操作取得手段７０６からのユーザー操作を取得し、ユーザーの望んでいる情報を第１の通信手段７０１を用いて取得する。その際、必要であれば現在地情報を現在地検出手段７０２から取得し、情報局に送る。ここでユーザーの取得するテキスト情報は、交通情報やニュースなどの一般情報のほか、お店の広告などを含んでいても良い。ＢＧＭ選択部７２２は、ＢＧＭ記憶部７２４に記憶されているＢＧＭの中からＴＴＳのバックに流すＢＧＭを決定する。ランダムであっても、ＢＧＭの決定方法は、取得した情報カテゴリによって決められる方法であっても良い。テキスト情報記憶部７２３は、ＨＤやＣＦ、ＲＡＭなどの記憶装置であり、情報取得部７２１が取得したテキスト情報を一時的に記憶しておき、音楽出力制御部７３５の指示に従い、テキスト情報を音声合成部７３６へ提供する部分である。ＢＧＭ記憶部７２４は、ＨＤ、ＣＤ、ＤＶＤ、ＣＦなどの記憶装置であり、テキスト情報記憶部７２３と共通であっても良いし、音楽記憶媒体７１１の一部を利用しても良い。ＢＧＭ記憶部７２４には、ＴＴＳのバックに流すＢＧＭが記憶されており、ＢＧＭ出力制御部７３４の指示に従い、ＢＧＭそのものを提供する部分である。また、ここで言うＢＧＭとは、人の声の入っていない、いわゆるバックグラウンドミュージックのほか、自然界の音、例えば、波の音や川のせせらぎ、鳥の鳴き声などであっても良い。
【００５５】
出力手段７３０は、通常は音楽提供手段７１０から提供される音楽を出力しているが、出力情報提供手段７２０でユーザーから要求された情報の出力準備ができると、音楽の出力を制御し、ユーザーに情報を提供する手段で、出力部７３１、ＴＴＳミキシング部７３２、ＴＴＳ開始制御部７３３、ＢＧＭ出力制御部７３４、音楽出力制御部７３５、音声合成部７３６とで構成される。出力部７３１は、スピーカーなどの出力装置であり、音楽や情報をユーザーの耳に聞こえるように出力する部分である。ＴＴＳミキシング部７３２は、ＴＴＳ開始制御部７３３の指示に従い、音声合成部７３６で合成されたＴＴＳとＢＧＭとをミキシングする部分であり、出力部７３１からユーザーにＢＧＭとともにミキシングされたＴＴＳを提供する。ＴＴＳ開始制御部７３３は、ＢＧＭの出力開始から所定時間後にＴＴＳの出力を開始させる部分である。ＢＧＭ出力制御部７３４は、音楽出力制御部７３５からの割り込み開始フラグを受けるとＢＧＭの出力を開始させ、また、ＴＴＳの出力が終了したらＢＧＭをフェードアウトして終了させる機能を持つ。音楽出力制御部７３５は、出力情報提供手段７２０の情報提供する準備ができる（割り込み準備完了フラグ）のを受けて音楽をフェードアウトして一時停止し、ＴＴＳの終了が通知（ＴＴＳ終了フラグ）されると、一時停止していた場所からフェードインして音楽の再生を開始する。音声合成部７３６は、ＴＴＳ開始制御部７３３の指示によりテキスト情報記憶部７２３に記憶されているテキスト情報をＴＴＳに変換する。
【００５６】
次に、情報局側について説明する。
第２の通信手段７０３は、車載機と情報のやり取りをする通信手段である。処理手段７０４は、記憶手段７０５にある多数の情報の中から、第２の通信手段７０３経由で受信した車載機の要求する情報を抽出し、第２の通信手段７０３経由で車載機に送信する手段である。記憶手段７０５は、車載機に送られる様々な情報を記憶しておく手段である。
【００５７】
図１５〜図１８に実施の形態３の動作フローを示す。
図１５に音楽再生タスクのフローを示す。
音楽再生タスクが起動されると、図１４に示した出力音楽決定部７１２は、最初に再生させる音楽を決定する（８０１）。次に、音楽出力制御部７３５は、決定された音楽の出力を準備し（８０２）、出力部７３１から音楽の再生を開始する（８０３）。音楽再生が開始されると、出力音楽決定部７１２は、次に再生させる音楽を決定し（８０４）、再生準備をする（８０５）。音楽の再生中に、出力情報提供手段７２０から割り込み情報の準備ができたことを伝える割り込み準備完了フラグを受信すると、音楽の出力制御をする（８０７）。音楽の出力制御の方法は、図１７に示すフェードアウトで、音楽再生タスク（図１５）は、割り込み情報タスク（図１６）からの割り込み準備完了フラグを受けると、割り込み準備完了フラグを消し（１００１）、音楽をフェードアウトし（１００２）、フェードアウトが終了すると音楽を一時停止して割り込み開始フラグを立てる（１００３）。割り込み情報タスク（図１６）は、割り込み開始フラグを受けてＢＧＭを再生し、ＴＴＳとＢＧＭのミキシング再生を開始する。割り込み情報タスク（図１６）からの割り込みが終了すると、割り込み情報タスク（図１６）は、ＴＴＳ終了フラグを立てる。音楽再生タスク（図１５）は、ＴＴＳ終了フラグを受けると、音楽出力制御を終了する（８０９）。終了の方法は、図１８に示すようにＴＴＳ終了フラグを消し（１１０１）、音楽を一時停止させていたポイントからフェードインして音楽の再生を開始する（１１０２）。その後、通常の音楽再生を行い、割り込み準備完了フラグを監視し（８０６）、音楽の再生が終了したら、次の音楽の再生を開始する（８０３）。
【００５８】
図１６に割り込み情報タスクのフローを示す。
割り込み情報タスクが起動されると、ユーザーからの情報要求操作待ち状態となり（９０１）、ユーザーから情報要求されると、情報取得部７２１は、第１の通信手段７０１経由で情報局と接続し（９０２）、テキスト情報を取得する（９０３）。テキスト情報の取得が完了すると、情報割り込みの準備ができたことを伝える割り込み準備完了フラグを立てる（９０４）。割り込み情報タスク（図１６）が割り込み準備完了フラグを立てると音楽再生タスク（図１５）は音楽の出力制御を開始し、情報の割り込みが可能となった時点で割り込み開始フラグを立てる。割り込み情報タスク（図１６）は、割り込み開始フラグを受けてＢＧＭ選択部７２２で決められたＢＧＭをＢＧＭ記憶部７２４から取得し、ＢＧＭの再生を開始する（９０６）。ＢＧＭの再生が始まると、ＴＴＳ開始制御部７３３は、ＴＴＳ開始のタイミングをはかり、所定時間経過すると（９０７）、ＴＴＳミキシング部７３２にＴＴＳのミキシング再生を要求し、出力部７３１からＴＴＳとＢＧＭのミキシング再生が開始される（９０８）。ＴＴＳ再生中に、ユーザーからのリピート操作を監視し、ユーザーからのリピート操作が入った場合（９０９）、ＴＴＳと音楽の出力レベルを変更し、ＴＴＳの出力レベルを上げ（９１０）、再生中のＴＴＳを頭から再生する（９１１）。このとき、ＢＧＭについてはリピートを行わず、そのまま流し続けている。ＴＴＳの再生中は常にユーザーからのリピート操作を監視し（９０９）、ＴＴＳの再生が終了すると（９１２）、ＢＧＭをフェードアウトさせ（９１３）、ＴＴＳ終了フラグを立てて（９１４）、ユーザーからの情報要求操作待ち状態となる（９０１）。
【００５９】
図１７、図１８は、それぞれ図１５中の音楽出力制御（８０７）と音楽出力制御終了（８０９）について示したものである。
【００６０】
上記のように、本実施の形態３では、音楽情報が、ＢＧＭとこのＢＧＭとは異なる第２音楽情報とからなり、ＢＧＭおよび第２音楽情報の出力を制御するＢＧＭ出力制御部７３４、音楽出力制御部７３５と、ＢＧＭおよび第２音楽情報並びに音声情報の終了を検知する検知手段（図示省略）とを有し、音楽出力制御部７３５により出力の制御をした第２音楽情報と音声情報とを重ね合せて出力し、記音声情報の出力中に、第２音楽情報が終了したことを前記検知手段が検知した場合、ＢＧＭを音声情報とを重ね合せて出力し、音声情報の出力の終了を前記検知手段が検知した場合、ＢＧＭをフェードアウトし、第２音楽情報を出力するという構成になっている。このような構成により、音楽を聞いていた時の雰囲気を壊すことなく、割込みによるＴＴＳ情報を提供することができる。
【００６１】
実施の形態４
図１９に実施の形態４の構成図を示す。
まず、車載機側について説明する。
第１の通信手段１２０１は、例えば携帯電話のようなものであり、操作取得手段１２０６からのユーザー操作を取得した情報取得部１２２１が取得する情報を情報局に要求したり、要求に応じた情報局からのテキスト情報を取得するために情報局との通信を行う手段である。
【００６２】
現在地検出手段１２０２は、例えばＧＰＳのようなものであり、天気情報や交通情報などを取得する際に利用する現在地情報を取得する手段である。
【００６３】
操作取得手段１２０６は、スイッチや音声認識などのユーザーの操作を受ける手段であり、ユーザーからの情報リクエストやＴＴＳ情報の操作を受け付ける。
【００６４】
出力音楽提供手段１２１０は、音楽出力制御部１２３６の指示に従い、音楽を提供する手段であり、音楽記憶媒体１２１１と出力音楽決定部１２１２とで構成される。音楽記憶媒体１２１１は、例えば、ＣＤやＭＤ、ＨＤ、ＤＶＤといった音楽そのものを記憶しておく媒体であり、音楽出力制御部１２３６からの指示により音楽そのものを出力部１２３１へ提供する。出力音楽決定部１２１２は、出力部１２３１が音楽の出力を開始するごとに、次に提供する音楽を決定する部分であり、ユーザーからの指定がなければＣＤやＭＤなどのトラック順に、ユーザーがランダム指定すればランダムに、ユーザーが再生曲順を指定すれば指定された順に提供する音楽を決定する部分である。
【００６５】
出力情報提供手段１２２０は、ユーザー操作により情報を取得し、ＴＴＳ再生中に音楽が終わった場合に、情報のバックに流すＢＧＭとともに出力手段１２３０に提供する手段で、情報取得部１２２１と、ＢＧＭ選択部１２２２と、テキスト情報記憶部１２２３と、ＢＧＭ記憶部１２２４とで構成される。情報取得部１２２１は、操作取得手段１２０６からのユーザー操作を取得し、ユーザーの望んでいる情報を第１の通信手段１２０１を用いて取得する。その際、必要であれば現在地情報を現在地検出手段１２０２から取得し、情報局に送る。ここでユーザーの取得するテキスト情報は、交通情報やニュースなどの一般情報のほか、お店の広告などを含んでいても良い。ＢＧＭ選択部１２２２は、ＢＧＭ記憶部１２２４に記憶されているＢＧＭの中からＴＴＳ再生中に音楽が終わってしまった場合にＴＴＳのバックに流すＢＧＭを決定する。ＢＧＭの決定方法は、ランダムであっても、取得した情報カテゴリによって決められる方法であっても良い。テキスト情報記憶部１２２３は、ＨＤやＣＦ、ＲＡＭなどの記憶装置であり、情報取得部１２２１が取得したテキスト情報を一時的に記憶しておき、音楽出力制御部１２３６の指示に従い、テキスト情報を音声合成部１２３７へ提供する部分である。ＢＧＭ記憶部１２２４は、ＨＤ、ＣＤ、ＤＶＤ、ＣＦなどの記憶装置であり、テキスト情報記憶部１２２３と共通であっても良いし、音楽記憶媒体１２１１の一部を利用しても良い。ＢＧＭ記憶部１２２４には、ＴＴＳ再生中に音楽が終わってしまった場合にＴＴＳのバックに流すＢＧＭが記憶されており、ＢＧＭ出力制御部１２３５の指示に従い、ＢＧＭそのものを提供する部分である。また、ここで言うＢＧＭとは、人の声の入っていない、いわゆるバック・グラウンド・ミュージックのほか、自然界の音、例えば、波の音や川のせせらぎ、鳥の鳴き声などであっても良い。
【００６６】
出力手段１２３０は、通常は音楽提供手段１２１０から提供される音楽を出力しているが、出力情報提供手段１２２０でユーザーから要求された情報の出力準備ができると、音楽の出力を制御し、ユーザーに情報を提供する手段で、出力部１２３１、音楽出力終了検出部１２３２、ＴＴＳミキシング部１２３３、ＴＴＳ開始制御部１２３４、ＢＧＭ出力制御部１２３５、音楽出力制御部１２３６、音声合成部１２３７とで構成される。出力部１２３１は、スピーカーなどの出力装置であり、音楽や情報をユーザーの耳に聞こえるように出力する部分である。ＴＴＳミキシング部１２３３は、ＴＴＳ開始制御部１２３４の指示に従い、音声合成部１２３７で合成されたＴＴＳと音楽やＢＧＭとをミキシングする部分であり、出力部１２３１からユーザーに音楽やＢＧＭとともにミキシングされたＴＴＳを提供する。ＴＴＳ開始制御部１２３４は、ＴＴＳの開始タイミングを制御する。ＢＧＭ出力制御部１２３５は、ＴＴＳの再生中に音楽が終了するとＢＧＭの出力を開始させ、また、ＴＴＳの出力が終了したらＢＧＭをフェードアウトして終了させる。音楽出力制御部１２３６は、出力情報提供手段１２２０の情報提供する準備ができるのを（割り込み準備完了フラグを）受けて音楽出力を制御し、ＴＴＳの終了が（ＴＴＳ終了フラグにより）通知されると、音楽の制御を終了して通常の音楽再生を開始する。音声合成部１２３７は、ＴＴＳ開始制御部１２３４の指示によりテキスト情報記憶部１２２３に記憶されているテキスト情報をＴＴＳに変換する。
【００６７】
次に、情報局側について説明する。
第２の通信手段１２０３は、車載機と情報のやり取りをする通信手段である。処理手段１２０４は、記憶手段１２０５にある多数の情報の中から、第２の通信手段１２０３経由で受信した車載機の要求する情報を抽出し、第２の通信手段１２０３経由で車載機に送信する手段である。記憶手段１２０５は、車載機に送られる様々な情報を記憶しておく手段である。
【００６８】
図２０、図２１に実施の形態４の動作フローを示す。
図２０に音楽再生タスクのフローを示す。
音楽再生タスクが起動されると、出力音楽決定部１２１２は、最初に再生させる音楽を決定する（１３０１）。次に、音楽出力制御部１２３６は、決定された音楽の出力を準備し（１３０２）、出力部１２３１から音楽の再生を開始する（１３０３）。音楽再生が開始されると、出力音楽決定部１２１２は、次に再生させる音楽を決定し（１３０４）、次に再生させる音楽の再生準備をする（１３０５）。音楽の再生中に出力情報提供手段１２２０から割り込み情報の準備ができたことを伝える割り込み準備完了フラグを受信すると（１３０６）、音楽の出力制御をする（１３０７）。音楽の出力制御の方法は、実施の形態１で示したのと同じで、ボリューム制御（図１１）と、人の声の周波数帯カット（図１２）と、テンポ制御（図１３）である。また、ＴＴＳ再生中に音楽が終わった場合、音楽の再生を一時停止させる。音楽再生タスク（図２０）は、割り込み情報タスク（図２１）から割り込み情報が終了したことを知らせるＴＴＳ終了フラグを受けると、音楽出力制御を終了し（１３０９）、通常の音楽再生を行い、割り込み準備完了フラグを監視し（１３０６）、音楽の再生が終了したら次の音楽の再生を開始する（１３０３）。
【００６９】
図２１に割り込み情報タスクのフローを示す。割り込み情報タスクが起動されると、ユーザーからの情報要求操作待ち状態となり（１４０１）、ユーザーから情報要求されると、情報取得部１２２１は、第１の通信手段１２０１経由で情報局と接続し（１４０２）、テキスト情報を取得する（１４０３）。テキスト情報の取得が完了すると、情報割り込みの準備ができたことを伝える割り込み準備完了フラグを立てる（１４０４）。割り込み情報タスク（図２１）が割り込み準備完了フラグを立てると音楽再生タスク（図２０）は音楽の出力制御を開始し、情報の割り込みが可能となった時点で割り込み開始フラグを立てる。割り込み情報タスク（図２１）は、割り込み開始フラグを受けて出力制御された音楽とＴＴＳとをミキシングして再生する（１４０６）。音楽の終了をチェックし（１４０７）、ＴＴＳ再生中に音楽が終わってしまった場合、音楽を一時停止し（１４０８）、ＢＧＭ選択部１２２２で決められたＢＧＭをＢＧＭ記憶部１２２４から取得し、ＢＧＭを再生する（１４０９）。
【００７０】
ユーザー操作をチェックし（１４１０）、ＴＴＳ再生中にユーザーからのリピート操作が入った場合、ＴＴＳと音楽の出力レベルを変更し、ＴＴＳの出力レベルを上げ（１４１１）、再生中のＴＴＳを頭から再生する（１４１２）。このとき、バックに流れている音楽もしくはＢＧＭについてはリピートを行わず、そのまま流し続けている。ＴＴＳの再生中は常に音楽の終了（１４０７）とユーザーからのリピート操作（１４１０）を監視し、ＴＴＳの再生が終了すると、ＢＧＭが再生中かどうかをチェックし（１４１４）、ＢＧＭ再生中であればＢＧＭをフェードアウトさせ（１４１５）、ＴＴＳ終了フラグを立てて（１４１６）、ユーザーからの情報要求操作待ち状態となる（１４０１）。
【００７１】
上記のように、本実施の形態４では、音楽情報の出力を制御する音楽出力制御部１２３６、ＢＧＭ出力制御部１２３５と、音声情報の出力の終了を検知する検知手段（図示省略）とを有し、音楽情報が、ＢＧＭとこのＢＧＭとは異なる第２音楽情報とからなり、音楽出力制御部１２３６により、音声情報の出力を開始する前に、第２音楽情報をフェードアウトし、その後、ＴＴＳミキシング部１２３３および出力部１２３１により、音声情報とＢＧＭとを重ね合せた情報を提供し、前記検知手段により音声情報の出力の終了を検知した後、ＢＧＭ出力制御部１２３５により、ＢＧＭをフェードアウトして第２音楽情報をフェードインするという構成になっている。このような構成により、音楽を聞いていた時の雰囲気を壊すことなく、割込みによるＴＴＳ情報を提供することができる。
【００７２】
以上本発明を実施の形態に基づいて具体的に説明したが、本発明は上記実施の形態に限定されるものではなく、その要旨を逸脱しない範囲において種々変更可能であることは勿論である。
【図面の簡単な説明】
【図１】本発明の実施の形態１の構成図である。
【図２】本発明の実施の形態１のメインタスクの動作フローである。
【図３】本発明の実施の形態１の情報取得タスクの動作フローである。
【図４】本発明の実施の形態１の情報用番組表再生のフローである。
【図５】本発明の実施の形態１の操作フローである。
【図６】本発明の実施の形態１のユーザー操作取得タスクの動作フローである。
【図７】本発明の実施の形態１の情報用番組表の一例である。
【図８】本発明の実施の形態２の構成図である。
【図９】本発明の実施の形態２における音楽再生タスクの動作フローである。
【図１０】本発明の実施の形態２における割り込み情報タスクの動作フローである。
【図１１】本発明の実施の形態２および４における音楽出力制御（ボリューム制御）の動作フローである。
【図１２】本発明の実施の形態２および４における音楽出力制御（周波数カット）の動作フローである。
【図１３】本発明の実施の形態２および４における音楽出力制御（テンポ制御）の動作フローである。
【図１４】本発明の実施の形態３の構成図である。
【図１５】本発明の実施の形態３における音楽再生タスクの動作フローである。
【図１６】本発明の実施の形態３における割り込み情報タスクの動作フローである。
【図１７】本発明の実施の形態３における音楽出力制御の動作フローである。
【図１８】本発明の実施の形態３における音楽出力制御終了の動作フローである。
【図１９】本発明の実施の形態４の構成図である。
【図２０】本発明の実施の形態４における音楽再生タスクの動作フローである。
【図２１】本発明の実施の形態４における割り込み情報タスクの動作フローである。
【符号の説明】
１０１…第１の通信手段
１０２…現在地検出手段
１０３…第２の通信手段
１０４…処理手段
１０５…記憶手段
１０６…操作取得手段
１１０…出力音楽提供手段
１１１…音楽記憶媒体
１１２…出力音楽決定部
１２０…統合的な出力決定手段
１２１…最終出力決定部
１３０…出力情報提供手段
１３１…情報取得部
１３２…ＤＪ・ＢＧＭ選択部
１３３…テキスト情報記憶部
１３４…ＤＪ・ＢＧＭ記憶部
１３５…情報用番組表作成部
１４０…出力手段
１４１…出力部
１４２…出力終了検出部
１４３…ＴＴＳミキシング部
１４４…ＴＴＳ開始制御部
１４５…ＢＧＭ終了制御部
１４６…出力制御部
１４７…提供音楽記憶部
１４８…情報用番組表記憶部
１４９…音声合成部
７０１…第１の通信手段
７０２…現在地検出手段
７０３…第２の通信手段
７０４…処理手段
７０５…記憶手段
７０６…操作取得手段
７１０…出力音楽提供手段
７１１…音楽記憶媒体
７１２…出力音楽決定部
７２０…出力情報提供手段
７２１…情報取得部
７２２…ＢＧＭ選択部
７２３…テキスト情報記憶部
７２４…ＢＧＭ記憶部
７３０…出力手段
７３１…出力部
７３２…ＴＴＳミキシング部
７３３…ＴＴＳ開始制御部
７３４…ＢＧＭ出力制御部
７３５…音楽出力制御部
７３６…音声合成部
１２０１…第１の通信手段
１２０２…現在地検出手段
１２０３…第２の通信手段
１２０４…処理手段
１２０５…記憶手段
１２０６…操作取得手段
１２１０…出力音楽提供手段
１２１１…音楽記憶媒体
１２１２…出力音楽決定部
１２２０…出力情報提供手段
１２２１…情報取得部
１２２２…ＢＧＭ選択部
１２２３…テキスト情報記憶部
１２２４…ＢＧＭ記憶部
１２３０…出力手段
１２３１…出力部
１２３２…音楽出力終了検出部
１２３３…ＴＴＳミキシング部
１２３４…ＴＴＳ開始制御部
１２３５…ＢＧＭ出力制御部
１２３６…音楽出力制御部
１２３７…音声合成部
【図１】
2004226703.tif 000003
【図２】
2004226703.tif 000004
【図３】
2004226703.tif 000005
【図４】
2004226703.tif 000006
【図５】
2004226703.tif 000007
【図６】
2004226703.tif 000008
【図７】
2004226703.tif 000009
【図８】
2004226703.tif 000010
【図９】
2004226703.tif 000011
【図１０】
2004226703.tif 000012
【図１１】
2004226703.tif 000013
【図１２】
2004226703.tif 000014
【図１３】
2004226703.tif 000015
【図１４】
2004226703.tif 000016
【図１５】
2004226703.tif 000017
【図１６】
2004226703.tif 000018
【図１７】
2004226703.tif 000019
【図１８】
2004226703.tif 000020
【図１９】
2004226703.tif 000021
【図２０】
2004226703.tif 000022
【図２１】
2004226703.tif 000023